(57)【要約】【課題】サラウンドシステムのリモコン装置であって、リスナーが各スピーカから出力される音声の調整を容易に行うことのできるサラウンドシステムのリモコン装置を提供する。【解決手段】前方に音声再生装置３と音声再生装置３に接続された複数のフロントスピーカと、後方に音声再生装置３により再生されたリア音声信号が与えられるリアスピーカ制御部４とリアスピーカ制御部４に接続された複数のリアスピーカが配されたサラウンドシステムを中間部からリモコン制御するサラウンドシステムのリモコン装置において、音声再生装置３が有するフロントリモコン受信部８へフロント制御信号を光伝送するフロント制御信号送信部１４と、リアスピーカ制御部４が有するリアリモコン受信部９へリア制御信号を光伝送するリア制御信号送信部１５を、前記フロント制御信号とリア制御信号の光伝送が同時に行えるように配設する。【選択図】      図２
2004349762.tif 000002
【特許請求の範囲】
【請求項１】
前方に音声再生装置と、該音声再生装置の周辺に該音声再生装置に接続された複数のフロントスピーカと、後方に前記音声再生装置により再生されたリア音声信号が与えられるリアスピーカ制御部と、該リアスピーカ制御部の周辺に該リアスピーカ制御部に接続された複数のリアスピーカと、が配されたサラウンドシステムを中間部からリモコン制御するサラウンドシステムのリモコン装置において、
前記音声再生装置が有するフロントリモコン受信部へフロント制御信号を光伝送するフロント制御信号送信部と、前記リアスピーカ制御部が有するリアリモコン受信部へリア制御信号を光伝送するリア制御信号送信部を、前記フロント制御信号とリア制御信号の光伝送が同時に行えるように配設したことを特徴とするサラウンドシステムのリモコン装置。
【請求項２】
操作されたときに、前記フロント制御信号が光伝送される操作キーから成るフロント操作キー部と、前記リア制御信号が光伝送される操作キーから成るリア操作キー部と、前記フロント制御信号とリア制御信号とが同時に光伝送される操作キーから成るフロントリア同時操作キー部と、を設けたことを特徴とする請求項１に記載のサラウンドシステムのリモコン装置。
【請求項３】
前記フロント操作キー部が操作されたときに光伝送される前記フロント制御信号のコードと、前記リア操作キー部が操作されたときに光伝送される前記リア制御信号のコードとは、互いに異なることを特徴とする請求項２に記載のサラウンドシステムのリモコン装置。
【請求項４】
前方に音声再生装置と、該音声再生装置の周辺に該音声再生装置に接続された複数のフロントスピーカと、後方に前記音声再生装置により再生されたリア音声信号が与えられるリアスピーカ制御部と、該リアスピーカ制御部の周辺に該リアスピーカ制御部に接続された複数のリアスピーカが配され、前記音声再生装置とリアスピーカ制御部を中間部からリモコン制御するリモコン装置を備えたサラウンドシステムにおいて、
前記リモコン装置が、前記音声再生装置が有するフロントリモコン受信部にフロント制御信号を光伝送するフロント制御信号送信部と、前記リアスピーカ制御部が有するリアリモコン受信部にリア制御信号を光伝送するリア制御信号送信部を、前記フロント制御信号とリア制御信号の光伝送が同時に行えるように配設していることを特徴とするサラウンドシステム。
【発明の詳細な説明】
【０００１】
【発明の属する技術分野】
本発明は、サラウンドシステムのリモコン装置に関するものであり、特に、音声再生装置とリアスピーカをつなぐスピーカコード等の有線手段を必要としないサラウンドシステムのリモコン装置に関するものである。
【０００２】
【従来の技術】
テレビジョン受像器、ビデオテープレコーダ（ＶＴＲ）、オーディオ機器等の音声再生装置で再生された音声信号を複数のスピーカ（多チャンネルスピーカ）から出力するサラウンドシステムの場合、視聴（ここで、視聴とは映像と音声を楽しむという意味）するリスナーが中央付近に位置し、リスナーの正面に音声再生装置、その左右にそれぞれフロントスピーカ、そして、これら左右フロントスピーカの間にセンタースピーカ及びサブウーハー、また、リスナーの背面の左右にそれぞれリヤスピーカが配置される。このように配置された各スピーカから多チャンネルの音声が再生されることにより、ドルビーサラウンド等の音響上の効果が生じ、リスナーは臨場感のある立体音声を楽しむことができる。
【０００３】
また、音声再生装置とリアスピーカをつなぐスピーカコード等の有線手段が、歩行等の生活行動に対し支障となる、或いは、装飾等による部屋の観望と雰囲気を損なうという問題を解決するとともに、リアスピーカの設置場所をスピーカコード等の有線手段の長さによって限定されないようにすることを目的として、音声再生装置とリヤスピーカをつなぐスピーカコード等の有線手段を必要としないリアスピーカコントロールシステムが提案されている（例えば、特許文献１参照）。
【０００４】
【特許文献１】
特開平６−５３８６７号公報
【０００５】
【発明が解決しようとする課題】
このようなサラウンドシステムにおいて、各スピーカから出力される音声の音量、音質、バランス等の調整というような音場コントロール機能の調整は、リスナーが視聴位置から移動せずに行えるリモコン操作によって行えると便利である。
【０００６】
しかしながら、特許文献１に記載のリアスピーカコントロールシステムのように、リア音声信号が空間伝送でリア部に送信されるサラウンドシステムの場合、送信されたリア音声信号でリアスピーカを駆動制御するリアスピーカ制御部、即ち、リア音声信号の増幅及び音量、音質、バランス等の制御を行うリアスピーカ制御部はリアスピーカ側にあるので、リアスピーカの音場コントロール機能の調整は、リスナーがリアスピーカ側のリアスピーカ制御部まで移動して目的のセッティングを施した後、再び視聴位置に戻ってリアスピーカからの音声を聴いて確認し、リスナーの希望する音場になるまで上記のセッティングを繰り返すという非常に面倒な作業が必要であった。尚、特許文献１に記載のリアスピーカコントロールシステムの場合、リア音声信号の増幅部及び音量、音質、バランス等の調整部は左右リアスピーカに内蔵されているが、リアスピーカ制御部として左右リアスピーカの間に別途設けられた構成であっても同様である。
【０００７】
また、フロント音声信号の増幅及び音量、音質、バランス等の制御を行う音声再生装置と、リアスピーカ制御部とにリモコン受信部を設け、フロント側、リア側それぞれ専用のリモコンによって、フロント側スピーカ、リア側スピーカそれぞれの音場コントロール機能の調整を個別に行うか、１つのリモコンで、フロント側の音場コントロール機能の調整を行った後に、リア側の音場コントロール機能の調整を行う、或いは、その逆の順序で音場コントロール機能の調整を行うという方法もあるが、いずれにしても、少なくとも２回は同じような操作を行う必要があり、やはり面倒であるという問題があった。
【０００８】
また、音声再生装置のみにリモコン受信部を設け、フロント側スピーカの音場コントロール機能の調整は、このリモコン受信部で受信したリモコン制御信号に応じて行い、リア側スピーカの音場コントロール機能の調整は、音声再生装置で受信したリモコン制御信号に応じたリア指令信号を音声再生装置からリアスピーカ制御部に別途送信して行うという方法もあるが、直接、リモコン装置からリアスピーカ制御部に指令を与えるわけではないので、リモコンシステムの構成が複雑になるうえに、リモコン操作するリスナーに混乱を与えることがあった。
【０００９】
例えば、全体の音量を一律にアップするためのリモコンの音量ボリュームを操作したとき、フロント側スピーカの音量はアップしたが、音声再生装置からリアスピーカ制御部への前記リア指令信号が何らかの原因、例えば、光通信で送信している場合、遮蔽物が横切った等の原因で伝わらず、リア側スピーカの音量がアップしなかった場合に、リスナーがリア側スピーカの音量のみをアップしたいと考えてリモコンの音量ボリュームを操作したとしてもフロント側スピーカの音量も同時にアップするので、単純な操作では目的の調整ができなくなってしまうという問題があった。
【００１０】
また、例えば、リア側スピーカを使用しない状態、即ち、フロント側スピーカからの音声の音量、音質、バランス等の調整のみをリスナーの希望通りに行って視聴していた後に、リア側スピーカを使用した多チャンネルでの視聴に切り替える場合、速やかにリア側スピーカから出力される音声の音量、音質、バランス等の調整をする必要があるが、この場合もリア側スピーカの音場コントロール機能の調整のみを従来のリモコンで行うことは困難な場合があった。
【００１１】
本発明は、上記の点に鑑み、音声再生装置とリアスピーカをつなぐスピーカコード等の有線手段を必要としないサラウンドシステムのリモコン装置であって、リスナーが各スピーカから出力される音声の音量、音質、バランス等の調整を容易に行うことのできる使い勝手の良いサラウンドシステムのリモコン装置を提供することを目的とする。
【００１２】
【課題を解決するための手段】
上記目的を達成するために本発明は、前方に音声再生装置と、該音声再生装置の周辺に該音声再生装置に接続された複数のフロントスピーカと、後方に前記音声再生装置により再生されたリア音声信号が与えられるリアスピーカ制御部と、該リアスピーカ制御部の周辺に該リアスピーカ制御部に接続された複数のリアスピーカと、が配されたサラウンドシステムを中間部からリモコン制御するサラウンドシステムのリモコン装置において、前記音声再生装置が有するフロントリモコン受信部へフロント制御信号を光伝送するフロント制御信号送信部と、前記リアスピーカ制御部が有するリアリモコン受信部へリア制御信号を光伝送するリア制御信号送信部を、前記フロント制御信号とリア制御信号の光伝送が同時に行えるように配設したものである。
【００１３】
このようにすると、音場コントロール機能を有する前記音声再生装置とリアスピーカ制御部をそれぞれ直接、且つ、同時にリモコン操作することができ、リモコンシステムを簡単にした使い勝手の良いリモコン装置を提供することができる。
【００１４】
また、例えば、操作されたときに、前記フロント制御信号が光伝送される操作キーから成るフロント操作キー部と、前記リア制御信号が光伝送される操作キーから成るリア操作キー部と、前記フロント制御信号とリア制御信号とが同時に光伝送される操作キーから成るフロントリア同時操作キー部と、を設けたリモコン装置にすると良い。このようにすると、フロント側、リア側をそれぞれ個別にリモコン制御できるとともに、フロント側、リア側を同じようにリモコン制御するときには１度の操作で同時に両側のリモコン制御を行うことができる。
【００１５】
また、例えば、前記フロント操作キー部が操作されたときに光伝送される前記フロント制御信号のコードと、前記リア操作キー部が操作されたときに光伝送される前記リア制御信号のコードとは、互いに異なるようにする良い。このようにすると、リスナーがリモコン制御したい側の反対側に向けてリモコン装置を操作する誤操作を行ったときであっても、この誤操作による誤動作を防止することができる。
【００１６】
また、例えば、前方に音声再生装置と、該音声再生装置の周辺に該音声再生装置に接続された複数のフロントスピーカと、後方に前記音声再生装置により再生されたリア音声信号が与えられるリアスピーカ制御部と、該リアスピーカ制御部の周辺に該リアスピーカ制御部に接続された複数のリアスピーカが配され、前記音声再生装置とリアスピーカ制御部を中間部からリモコン制御するリモコン装置を備えたサラウンドシステムにおいて、前記リモコン装置が、前記音声再生装置が有するフロントリモコン受信部にフロント制御信号を光伝送するフロント制御信号送信部と、前記リアスピーカ制御部が有するリアリモコン受信部にリア制御信号を光伝送するリア制御信号送信部を、前記フロント制御信号とリア制御信号の光伝送が同時に行えるように配設していると良い。
【００１７】
このようにすると、音場コントロール機能を有する前記音声再生装置とリアスピーカ制御部をそれぞれ直接、且つ、同時にリモコン操作することができ、リモコンシステムを簡単にしてリモコン装置の使い勝手を良くしたサラウンドシステムを提供することができる。
【００１８】
【発明の実施の形態】
以下に、本発明の実施形態を図面を参照して説明する。図１は、本発明の実施形態のリモコン装置が用いられるサラウンドシステムの機器の配置を示す配置図である。
【００１９】
図１において、１はリスナーを示し、サラウンドシステムが設置されたリスニングルームの中央に位置しており、リモコン装置１０を有している。先ず、リスナー１の前方の配置から説明すると、記録媒体等に記録された音声情報を再生するとともに、再生された音声信号のフロント音声信号でフロントスピーカを駆動制御する音声再生装置３が、リスナー３の正面に配置されている。また、音声再生装置３の左に左フロントスピーカ２Ｌ、右に右フロントスピーカ２Ｒが配置されている。そして、右フロントスピーカ２Ｒと音声再生装置３との間にサブウーハー６が配置され、左フロントスピーカ２Ｌと右フロントスピーカ２Ｒとの略中間にセンタースピーカ７が配置されている。また、音声再生装置３はリスナー１に対向する面にフロントリモコン受信部８を備えている。
【００２０】
次に、リスナー１の後方の配置を説明すると、音声再生装置３から空間伝送（例えば、無線や光通信）で送信された、音声再生装置３で再生された音声信号のリア音声信号でリアスピーカを駆動制御するリアスピーカ制御部４が、リスナー１の背面に配置されている。そして、リアスピーカ制御部４の左に左リアスピーカ５Ｌ、右に右リアスピーカ５Ｒが配置されている。また、リアスピーカ制御部４はリスナー１に対向する面にリアリモコン受信部９を備えている。
【００２１】
音声再生装置３は、５．１チャンネル（６個のスピーカ）の音声信号を再生し、各チャンネルの音声信号が各スピーカから出力されることにより、リスナー１は音場の拡がりを感じる立体感のある音声を楽しむことができる。ここで、リスナー１は、現在の音量、音質、音場等に対して自分の目的とする音にするため、音量調整、音質調整というような音場の調整を、視聴位置から移動せずにリモコン装置１０により行うことができる。
【００２２】
音声再生装置３で再生された音声信号のフロント音声信号の増幅部及びフロントスピーカ２Ｒ、２Ｌから出力される音声の音量、音質、バランス等の調整部は音声再生装置３に内蔵されているので、音声再生装置３に備えられたフロントリモコン受信部８にリスナー１が操作するリモコン装置１０から操作に応じたフロント制御信号が送られることにより、音声再生装置３の音場コントロール機能が調整される。即ち、フロントスピーカ２Ｒ、２Ｌから出力される音声がリモコン装置１０の操作に応じて調整される。また、同様に、音声再生装置３で再生された音声信号のリア音声信号の増幅部及びリアスピーカ５Ｒ、５Ｌから出力される音声の音量、音質、バランス等の調整部はリアスピーカ制御部４に内蔵されているので、リアスピーカ制御部４に備えられたリアリモコン受信部９にリスナー１が操作するリモコン装置１０から操作に応じたリア制御信号が送られることにより、リアスピーカ制御部４の音場コントロール機能が調整される。即ち、リアスピーカ５Ｒ、５Ｌから出力される音声がリモコン装置１０の操作に応じて調整される。
【００２３】
図２は、本発明の実施形態のリモコン装置の概略構成を示す平面図である。図２において、１０は図１に示すリモコン装置である。また、１１は音声再生装置３をリモコン制御するためのフロント操作キー部であり、１３はリアスピーカ制御部４をリモコン制御するためのリア操作キー部である。そして、１２は音声再生装置３とリアスピーカ制御部４を同時にリモコン制御するためのフロントリア同時操作キー部である。
【００２４】
また、１４は音声再生装置３をフロント操作キー部１１またはフロントリア同時操作キー部１２のキー操作に応じてリモコン制御するためのフロント制御信号をフロントリモコン受信部８に光伝送で送信するフロント制御用光素子（フロント制御信号送信部）である。また、１５はリアスピーカ制御部４をフロントリア同時操作キー部１２またはリア操作キー部１３のキー操作に応じてリモコン制御するためのリア制御信号をリアリモコン受信部９に光伝送で送信するリア制御用光素子（リア制御信号送信部）である。ここで、フロント制御用光素子１４とリア制御用光素子１５とは、フロント制御用光素子１４とフロントリモコン受信部８とが対向し、同時に、リア制御用光素子１５とリアリモコン受信部９とが対向する位置に設けられており、前記フロント制御信号とリア制御信号の同時送信を可能にしている。
【００２５】
図２に示すリモコン装置１０は、フロント側スピーカからの音声とリア側スピーカからの音声を同時に調整する場合、フロントリア同時操作キー部１２を操作すれば、フロント制御用光素子１４よりキー操作に応じたフロント制御信号が、また、リア制御用光素子１５よりキー操作に応じたリア制御信号が同時に送信される。そして、このフロント制御信号がフロントリモコン受信部８で確実に受信されれば、音声再生装置３の音場コントロール機能は操作に応じて調整される。同様に、前記リア制御信号がリアリモコン受信部９で確実に受信されれば、リアスピーカ制御部４の音場コントロール機能は操作に応じて調整される。
【００２６】
ここで、仮に、フロントリモコン受信部８のみ正常に受信でき、リアリモコン受信部９は何らかの原因、例えば、リア制御用光素子１５とリアリモコン受信部９との間を遮蔽物が横切った等の原因で正常に受信できなかった場合は、フロント側スピーカから出力される音声はリスナー１の希望した通りに調整されるが、リア側スピーカから出力される音声はリスナー１の希望したものにならないということになる。このような場合は、再度、リモコン装置１０でリア側スピーカからの音声を調整する必要が生じるが、リア側スピーカのみの調整なので、今度はリア操作キー部１３を操作する。このリア操作キー部１３の操作による制御内容は、既に制御が完了しているフロント側と同じ意味を持つが、前回のリモコン操作（フロントリア同時操作キー部１２の操作）でリア部のみが完全に受信出来てないために、改めて送信するものであるため、リア側のみ有効の信号となる。即ち、リア操作キー部１３の操作に応じたリア制御信号がリア制御用光素子１５から送信され、このリア制御信号をリアリモコン受信部９が受信することにより、リアスピーカ制御部４の音場コントロール機能のみがリスナー１のリモコン操作に応じて調整される。
【００２７】
尚、上述した事例はフロント側のみ正常に受信でき、正常に受信できなかったリア側のみに再送信する事例であり、リア側のみ正常に受信した場合は本事例の逆となる。即ち、リアスピーカから出力される音声はリスナー１の希望した通りに調整されるが、フロントスピーカから出力される音声はリスナー１の希望したものにならないということになった場合は、再度、リモコン装置１０でフロントスピーカからの音声を調整する必要が生じるが、フロントスピーカのみの調整なので、今度はフロント操作キー部１１を操作する。そして、フロント操作キー部１１の操作に応じたフロント制御信号がフロント制御用光素子１４から送信され、このフロント制御信号をフロントリモコン受信部８が受信することにより、音声再生装置３の音場コントロール機能のみがリモコン操作に応じて調整される。また、このときのフロント制御信号はフロント側にのみ有効な信号である。
【００２８】
次に、このような動作が行われるリモコン装置１０の内部の信号の流れを図３を参照して説明する。図３は、図２に示すリモコン装置１０の内部の構成を示すブロック図である。図３において、図２と同一の部分には同一の符号を付し、その説明を省略する。図３において、１８はリモコン装置１０を制御するマイコンであり、１６はマイコン１８を駆動するための電源である。また、１７はフロント制御用光素子１４及びリア制御用光素子１５から送信されるフロント制御信号及びリア制御信号の搬送波を生成する発振器である。マイコン１８には、フロント操作キー部１１、フロントリア同時操作キー部１２、リア操作キー部１３のキー操作が伝えられ、マイコン１８は、これらのキー操作に応じて、マイコン１８内部に収納されている指示命令コードを読み出し、この指示命令コードで発振器１７からの搬送波を変調した制御信号がフロント制御用光素子１４、及び／または、リア制御用光素子１５から送信される。
【００２９】
このような動作の一例を図４を参照して説明する。図４は、図１に示すサラウンドシステムの音量調整手順を示すフローチャートである。先ず、リスナーがサラウンドシステム全体の音量を一律にアップしたい場合（ステップＳ１）、フロントリア同時操作キー部１２のＶＯＬ−ＵＰキーが操作される（ステップＳ２）。そして、ＶＯＬ−ＵＰキーが操作されたことがマイコン１８に伝わり、マイコン１８は、マイコン１８内部に記憶されているフロントリア共通のコードであるフロントリア両用信号の中のＶＯＬ−ＵＰ信号を読み出す（ステップＳ３）。次に、このフロントリア両用信号のＶＯＬ−ＵＰ信号で発振器１７からの搬送波を変調し（ステップＳ４）、変調された信号はフロント制御信号及びリア制御信号としてフロント制御用光素子１４及びリア制御用光素子１５から光伝送で送信される（ステップＳ５）。尚、このときのフロント制御信号及びリア制御信号は同じ信号である。
【００３０】
そして、フロント制御用光素子１４から送信されたフロント制御信号は、図１に示す音声再生装置３のフロントリモコン受信部８で受信され、音声再生装置３はフロントスピーカ２Ｌ、２Ｒからの音声の音量をアップするように制御する。一方、リア制御用光素子１５から送信されたリア制御信号は、リアスピーカ制御部４のリアリモコン受信部９で受信され、リアスピーカ制御部４はリアスピーカ５Ｌ、５Ｒからの音声の音量をアップするように制御する（ステップＳ６）。そして、リスナー１は、各スピーカからの音声の音量が希望通りにアップしたかどうかを視聴位置で確認し（ステップＳ７）、全てのスピーカからの音声が希望通りに音量アップしていることを確認した場合（ＯＫの場合）は、音量調整を終了し、そのまま視聴の続行、または、他の音場調整等の操作をする（ステップＳ８）。
【００３１】
また、リスナー１は、各スピーカからの音声の音量が希望通りにアップしたかどうかを視聴位置で確認し（ステップＳ７）、フロント側またはリア側のいずれかの側のスピーカからの音声が希望通りにアップしていないことを確認した場合（ＮＯの場合）、音量アップされていない側に対応した操作キー部を操作する（ステップＳ９）。即ち、フロント側のスピーカからの音声の音量のみが希望通りにアップしていない場合は、図２及び図３に示すフロント操作キー部１１の音量アップキーを操作し、リア側のスピーカからの音声の音量のみが希望通りにアップしていない場合は、リア操作キー部１３の音量アップキーを操作する（ステップＳ９）。
【００３２】
そして、フロント操作キー部１１の音量アップキーが操作された場合、マイコン１８は、マイコン１８内部に記憶されているフロント制御専用のコードであるフロント用信号の中の音量アップ信号を読み出す（ステップＳ１０）。次に、このフロント用信号の音量アップ信号で発振器１７からの搬送波を変調し（ステップＳ１１）、変調された信号はフロント制御信号としてフロント制御用光素子１４に与えられ、光伝送で送信される（ステップＳ１２）。そして、フロント制御用光素子１４から送信されたフロント制御信号は、図１に示す音声再生装置３のフロントリモコン受信部８で受信され、音声再生装置３は受信したフロント制御信号に応じてフロントスピーカ２Ｌ、２Ｒからの音声の音量をアップするように制御する（ステップＳ１３）。
【００３３】
一方、リア操作キー部１３の音量アップキーが操作された場合、マイコン１８は、マイコン１８内部に記憶されているリア制御専用のコードであるリア用信号の中の音量アップ信号を読み出す（ステップＳ１０）。次に、このリア用信号の音量アップ信号で発振器１７からの搬送波を変調し（ステップＳ１１）、変調された信号はリア制御信号としてリア制御用光素子１５に与えられ、光伝送で送信される（ステップＳ１２）。リア制御用光素子１５から送信されたリア制御信号は、リアスピーカ制御部４のリアリモコン受信部９で受信され、リアスピーカ制御部４は受信したリア制御信号に応じてリアスピーカ５Ｌ、５Ｒからの音声の音量をアップするように制御する（ステップＳ１３）。
【００３４】
そして、リスナー１は、フロント側スピーカまたはリア側スピーカからの音声の音量が希望通りにアップしたかどうかを視聴位置で確認し（ステップＳ１４）、希望通りにアップしていることを確認した場合（ＯＫの場合）は、音量調整を終了し、そのまま視聴の続行、または、他の音場調整等の操作をする（ステップＳ８）。希望通りにアップしていないことを確認した場合（ＮＯの場合）は、再びステップＳ９に戻り、音量アップされていない側の操作キー部を再度操作する（ステップＳ９）。このようにして、音量アップされていない側の音量のみを希望通りの音量になるまで調整する。
【００３５】
このとき、フロント制御用光素子１４に与えられる音量アップ信号と、リア制御用光素子１５に与えられる音量アップ信号は、どちらも音量をアップするための同内容の信号であるが、誤動作を防止するために異なったコードの信号を用いている。即ち、フロント側スピーカからの音量のみをアップするために、フロント操作キー部１１の音量アップキーを操作したが、フロント制御用光素子１４をリアスピーカ制御部４のリアリモコン受信部９の方向に向けて操作した場合であっても、フロント制御用光素子１４から送信されるフロント制御信号のコードはリアスピーカ制御部４を制御して音量アップする指示命令のコードとは異なるため、リアスピーカ制御部４は反応せず、リア側スピーカからの音声の音量がアップするというような誤動作を防止することができる。
【００３６】
また、逆に、リア側スピーカからの音量のみをアップするために、リア操作キー部１３の音量アップキーを操作したが、リア制御用光素子１５を音声再生装置３のフロントリモコン受信部８の方向に向けて操作した場合であっても、リア制御用光素子１５から送信されるリア制御信号のコードは音声再生装置３を制御して音量アップする指示命令のコードとは異なるため、音声再生装置３は反応せず、フロント側スピーカからの音声の音量がアップするというような誤動作を防止することができる。
【００３７】
以上説明したように、リスナー１の正面に位置するフロント側スピーカを制御する音声再生装置３と、リスナー１の背面に位置するリア側スピーカを制御するリアスピーカ制御部４に、直接、且つ、同時に制御信号を光伝送してリモコン操作できるリモコン装置にすることにより、リモコンシステムを簡単にした使い勝手の良いリモコン装置及びサラウンドシステムにすることができる。
【００３８】
また、操作キーが操作されたときに、前記フロント制御信号のみが光伝送される操作キーから成るフロント操作キー部１１と、前記リア制御信号のみが光伝送される操作キーから成るリア操作キー部１３と、前記フロント制御信号とリア制御信号が同時に光伝送される操作キーから成るフロントリア同時操作キー部１２とを備えたリモコン装置にしたので、フロント側、リア側をそれぞれ個別にリモコン制御できるとともに、フロント側、リア側を同じようにリモコン制御するときには１度の操作で両側のリモコン制御を行うことができる。
【００３９】
また、前記フロント制御信号及びリア制御信号の伝送は、光伝送によって行われるので、妨害電波や無線システムを不安定にさせる近傍の機器等がある場合においても、確実にリモコン操作することのできるリモコン装置及びサラウンドシステムが実現できる。
【００４０】
尚、以上説明した本実施形態は、５．１チャンネル（６スピーカ）のサラウンドシステムであったが、７．１チャンネル（８スピーカ）等の今後予想される多チャンネルサラウンドシステムであっても、本発明は適用可能である。
【００４１】
【発明の効果】
以上のように、本発明によると、前方に音声再生装置と、該音声再生装置の周辺に該音声再生装置に接続された複数のフロントスピーカと、後方に前記音声再生装置により再生されたリア音声信号が与えられるリアスピーカ制御部と、該リアスピーカ制御部の周辺に該リアスピーカ制御部に接続された複数のリアスピーカと、が配されたサラウンドシステムを中間部からリモコン制御するサラウンドシステムのリモコン装置において、前記音声再生装置が有するフロントリモコン受信部へフロント制御信号を光伝送するフロント制御信号送信部と、前記リアスピーカ制御部が有するリアリモコン受信部へリア制御信号を光伝送するリア制御信号送信部を、前記フロント制御信号とリア制御信号の光伝送が同時に行えるように配設したので、音場コントロール機能を有する前記音声再生装置とリアスピーカ制御部をそれぞれ直接、且つ、同時にリモコン操作することができ、リモコンシステムを簡単にした使い勝手の良いリモコン装置、及び、このリモコン装置でリモコン制御するサラウンドシステムを提供することができる。
【図面の簡単な説明】
【図１】は、本発明の実施形態のリモコン装置が用いられるサラウンドシステムの機器の配置を示す配置図である。
【図２】は、本発明の実施形態のリモコン装置の概略構成を示す平面図である。
【図３】は、図２に示すリモコン装置の内部の構成を示すブロック図である。
【図４】は、図１に示すサラウンドシステムの音量調整手順を示すフローチャートである。
【符号の説明】
１    リスナー
２Ｌ    左フロントスピーカ
２Ｒ    右フロントスピーカ
３    音声再生装置
４    リアスピーカ制御部
５Ｌ    左リアスピーカ
５Ｒ    右リアスピーカ
６    サブウーハー
７    センタースピーカ
８    フロントリモコン受信部
９    リアリモコン受信部
１０    リモコン装置
１１    フロント操作キー部
１２    フロントリア同時操作キー部
１３    リア操作キー部
１４    フロント制御用光素子（フロント制御信号送信部）
１５    リア制御用光素子（リア制御信号送信部）
１６    電源
１７    発振器
１８    マイコン
【図１】
2004349762.tif 000003
【図２】
2004349762.tif 000004
【図３】
2004349762.tif 000005
【図４】
2004349762.tif 000006